(57)【特許請求の範囲】
【請求項１】
窓等の開閉を検知するセンサと、該センサの検知信号を処理して警報信号を発信するコントローラと、を備えた侵入警備システムにおいて、
前記センサは、検知部及び応急スイッチと、当該センサが一時解除状態であることを示す応急信号を前記コントローラに送信可能な制御部を有し、前記センサの制御部は、前記応急スイッチが操作された際に予め設定した所定時間前記応急信号のコントローラへの送信を禁止すると共に、所定時間が経過した際に前記応急信号のコントローラへの送信を可能にし、
前記コントローラは、前記警報信号を発信可能な無線部と前記センサが接続された制御部を有し、前記コントローラの制御部は、前記センサの検知部で窓等の異常が検知された異常状態で、前記応急信号が入力された場合に前記無線部からの警報信号の発信を禁止し前記応急信号が入力されない場合に前記警報信号を発信すると共に、前記センサが異常状態の場合にコントローラによる解除操作を禁止し、前記センサが正常状態の場合にコントローラによる解除操作を許容すると共に、コントローラにより解除操作された場合に入力されている前記応急信号をリセットすることを特徴とする侵入警報システム。
【発明の詳細な説明】
【技術分野】
【０００１】
本発明は、侵入者による窓やドア（窓等という）の開放を検知して警報を発することが可能な侵入警報システムに関する。
【背景技術】
【０００２】
一般的に、住宅や事務所等に設置される侵入警報システムは、窓等の開放を検知するセンサと、このセンサからの検知信号を処理して例えば警報会社等に警報を送信するコントローラ等で構成されている。従来、この侵入警報システムのセンサは、本体ケース内に配置されたマイコン等の制御部及び送受信部等を備えたワイヤレスセンサと、リードスイッチ等の検知スイッチとを備え、検知スイッチが例えばドア枠に取り付けたマグネットによりオン・オフして窓等の開閉が検知されるようになっている。なお、この種の侵入警報システムに関する公報としては、例えば特許文献１がある。
【特許文献１】特開２００１−２９８３５３号公報
【発明の開示】
【発明が解決しようとする課題】
【０００３】
しかしながら、このような侵入警報システムにおいては、警報システムを解除する際、例えば住宅の１階の玄関に設置されたコントローラの操作で行うようになっているため、警報システムによる警戒中に住人（非侵入者）が２階の部屋の掃除をしようとしてセンサが設置された窓等を開放する場合、警報システムを一時的に解除する必要があり、住人が１階のコントローラの設置場所まで一々戻って操作しなければならず、警報システムの操作性と使い勝手が劣ることになる。
【０００４】
本発明は、このような事情に鑑みてなされたもので、その目的は、簡易な構成により警戒状態の一時的な解除を簡単に行うことができて、操作性と使い勝手に優れた侵入警報システムを提供することにある。
【課題を解決するための手段】
【０００５】
かかる目的を達成すべく、本発明のうち請求項１に記載の発明は、窓等の開閉を検知するセンサと、該センサの検知信号を処理して警報信号を発信するコントローラと、を備えた侵入警備システムにおいて、前記センサは、検知部及び応急スイッチと、当該センサが一時解除状態であることを示す応急信号を前記コントローラに送信可能な制御部を有し、前記センサの制御部は、前記応急スイッチが操作された際に予め設定した所定時間前記応急信号のコントローラへの送信を禁止すると共に、所定時間が経過した際に前記応急信号のコントローラへの送信を可能にし、前記コントローラは、前記警報信号を発信可能な無線部と前記センサが接続された制御部を有し、前記コントローラの制御部は、前記センサの検知部で窓等の異常が検知された異常状態で、前記応急信号が入力された場合に前記無線部からの警報信号の発信を禁止し前記応急信号が入力されない場合に前記警報信号を発信すると共に、前記センサが異常状態の場合にコントローラによる解除操作を禁止し、前記センサが正常状態の場合にコントローラによる解除操作を許容すると共に、コントローラにより解除操作された場合に入力されている前記応急信号をリセットすることを特徴とする。
【発明の効果】
【０００７】
本発明のうち請求項１に記載の発明によれば、コントローラにより、センサで窓等の異常が検知された状態において、応急スイッチの操作で応急信号が入力された場合に警報信号の発信を禁止すると共に応急信号が入力されない場合に警報信号を発信するため、センサに応急スイッチを設けるという簡易な構成により、コントローラによる警戒状態の一時的な解除をセンサ部分で簡単に行うことができてコントローラ部分で一々行う必要がなくなり、警報システムの操作性と使い勝手に向上させることができる。
【０００８】
また、センサの本体ケース内に設けた制御部により、応急スイッチが操作された際に予め設定した所定時間応急信号のコントローラへの送信を禁止すると共に、所定時間が経過した際に応急信号のコントローラへの送信を可能にするため、応急スイッチの操作に応じた応急信号を制御部からコントローラに確実に送信することができる。
【０００９】
さらに、センサが異常状態の場合に解除操作が禁止され、正常状態の場合に解除操作が許容されて応急信号がリセットされるため、コントローラでセンサ状態の把握を行うことができると共に、コントローラによる警戒状態への復帰を確実に行うことができて、システムの操作性と信頼性を一層向上させることができる。
【発明を実施するための最良の形態】
【００１０】
以下、本発明の実施の形態を図面に基づいて詳細に説明する。
図１〜図６は、本発明に係わる侵入警報システムの一実施形態を示し、図１がその概略構成図、図２がセンサのブロック図、図３がコントローラのブロック部、図４がセンサの動作の一例を示すフローチャート、図５及び図６がコントローラの動作の一例を示す各フローチャートである。
【００１１】
図１に示すように、侵入警報システム１は、例えば住宅２の２階の窓３に設置されたセンサ４と、１階の玄関５に設置されたコントローラ６とを備え、センサ４とコントローラ６が例えば無線回線７によって接続されている。前記センサ４は、図２に示すように、例えば縦長方形の本体ケース８を有し、この本体ケース８内に、マイコン等からなりＣＰＵ９ａ及びタイマ９ｂ等を有する制御部９と、この制御部９に電源を供給する電池１０と、制御部９の入力側に接続された検知部１１及び応急スイッチ１２と、制御部９の出力側に接続された表示灯１３と、通信モジュール等からなる送受信部１４と、記憶部１５等が内蔵配置されている。
【００１２】
そして、前記検知部１１は、例えばリードスイッチで構成され、窓３の窓枠に取付けられたマグネット１６（図１参照）に対向配置されて、窓３の開閉に伴って移動するマグネット１６の接離によりオン・オフして、その信号が制御部９に入力され、制御部９はこの信号を後述する如く処理して、送受信部１４から応急信号等を前記コントローラ６に送信するように構成されている。
【００１３】
なお、前記本体ケース８は、有底状の本体部と、この本体部の前面下部に着脱可能に配設された電池カバー部（いずれも図示せず）等で構成され、本体部の前面下部には、前記応急スイッチ１２と表示灯１３が該ケース８の前面に露出する状態で配設されている。さらに、前記応急スイッチ１２は、例えばプッシュスイッチ等で構成され、前方から住人の指により押圧操作されることにより、オン・オフするようになっており、また、前記表示灯１３は、複数色（例えば赤色と緑色）のＬＥＤで形成され、後述する応急信号送信時には赤色ＬＥＤが点灯し、警報の一時解除時や電池警告時には緑色ＬＥＤが点滅するようになっている。
【００１４】
前記コントローラ６は、図３に示すように、図示しないボックス内に配置されたマイコン、記憶部等からなる制御部２０を備え、この制御部２０の入力側には、電源部２１と操作パネル等のスイッチ部２２及び前記センサ４やその他の各種センサが接続される入力部２３等が接続され、制御部２０の出力側には、表示部２４と音声部２５及びリレー出力部２６等が接続されている。また、制御部２０には、電話回線やＩＰ回線等が接続される通報部２７及びリモコン等が接続される通信部２８が接続されると共に、警備会社に無線で接続される無線部２９等が接続されている。
【００１５】
次に、このように構成された侵入警報システム１の動作の一例を図４〜図６のフローチャートに基づいて説明する。なお、これらのフローチャートは、前記記憶部１５や前記制御部２０の記憶部に予め記憶されてプログラムにしたがって自動的に実行される。先ず、センサ４の設置は、本体ケース８内に電池１０をセットして、該本体ケース８を例えば窓３の窓枠の所定位置に両面テープ等により取付け、この本体ケート８の検知部１１と対向する窓３の所定位置にマグネット１６を取付けることにより行われる。
【００１６】
そして、この設置状態において、センサ４は、図４に示すように動作する。すなわち、コントローラ６の電源が投入されてスイッチ部２２の操作により侵入警報システム１が警戒状態に設定されると、プログラムがスタート（Ｓ１００）し、応急スイッチ１２がオンが否かが判断（Ｓ１０１）され、この判断Ｓ１０１は「ＹＥＳ」になるまで繰返される。この判断Ｓ１０１で「ＹＥＳ」になると、すなわち住人が掃除等のためにセンサ４が設置されている窓３を開けようとして、本体ケース８の前面に設けられている応急スイッチ１２を押圧操作すると、応急スイッチ１２からオン信号（もしくはオフ信号）が制御部９に入力される。
【００１７】
この信号が制御部９で確認されると、表示灯１３（例えば赤色ＬＥＤ）が点灯し、このとき、制御部９は、応急スイッチ１２が例えば０．３秒以上押された場合にのみ応急スイッチ１２がオンであると判定して、表示灯１３が所定の時間Ｔ赤色で点灯するようになっており、この表示灯１３の点灯中に住人によって窓３が開放される。表示灯１３が点灯すると、制御部９内のタイマ９ｂがスタート（Ｓ１０２）し、次にタイマ９ｂの設定時間である前記時間Ｔが経過してタイマ９ｂがタイムアップしたか否かが判断（Ｓ１０３）される。
【００１８】
そして、判断Ｓ１０３で「ＮＯ」の場合、すなわちタイマ９ｂが時間Ｔ（５秒）経過していない場合は、検知部１１がオンが否かが判断（Ｓ１０４）され、この判断Ｓ１０４で「ＮＯ」の場合はステップＳ１０３に戻り、判断Ｓ１０４で「ＹＥＳ」の場合、すなわち、タイマ９ｂの作動中に住人により窓３が開放されて検知部１１がオンした場合（つまりセンサ４が異常を検知した場合）は、応急状態であることを示す信号（応急信号という）をコントローラ６に送信（Ｓ１０５）する。
【００１９】
一方、前記判断Ｓ１０３で「ＹＥＳ」の場合、すなわち、応急スイッチ１２をオンした後で時間Ｔ＝５秒以内（表示灯１３が赤色で点灯している間）に窓３を開放せずタイマ９ｂがタイムアップした場合は、一連のプログラムがエンド（Ｓ１０６）となって、センサ４が自動的に初期状態（警戒状態）に戻るようになっている。つまり、センサ４の制御部９は、応急スイッチ１２がオン操作されると共に窓３が開放されてこれを検知部１１が検知して信号（この信号を異常信号という）を出力した際に、一時解除状態であると判断して、応急信号がコントローラ６に送信されることになる。
【００２０】
また、前記コントローラ６の動作は、図５及び図６に示すように動作する。すなわち、図５に示すように、前記警戒状態に設定されてプログラムがスタート（Ｓ２００）すると、センサ４の入力が異常か否かが判断（Ｓ２０１）され、この判断で「ＹＥＳ」の場合、すなわち窓３が開放されてセンサ４がオンして前記異常信号が入力されている場合は、センサ異常としてセット（Ｓ２０２）し、応急信号が有りか否かが判断（Ｓ２０３）される。そして、この判断Ｓ２０３で「ＹＥＳ」の場合、すなわちセンサ４が異常の状態で応急信号が入力された場合は、応急状態であると判断して応急信号をセット（Ｓ２０４）し、そのままエンド（Ｓ２０６）、つまり警報動作をしないまま一連のプログラムを終了する。
【００２１】
一方、判断Ｓ２０３で「ＮＯ」の場合、すなわちセンサ４が異常の状態で応急信号の入力がない場合は、応急状態ではなく異常状態であると判断して、直ちに警報動作（Ｓ２０５）を行い、制御部２０の無線部２９から警備会社に警報信号が発信されると共に音声部２５から警報等が発せられる。なお、判断Ｓ２０１で「ＮＯ」の場合、すなわちセンサ４の入力が正常の場合は、ステップＳ２０６にジャンプして直ちにエンドとなる。
【００２２】
また、コントローラ６の入力部２３で解除操作がされた場合は、図６に示すように動作する。すなわち、プログラムがスタート（Ｓ３００）し、センサ４の入力が異常か否かが判断（Ｓ３０１）され、この判断Ｓ３０１で「ＮＯ」の場合、すなわちセンサ４が正常の場合は、解除操作が有りか否かが判断（Ｓ３０２）される。そして、この判断Ｓ３０２で「ＹＥＳ」の場合、つまり解除操作がされた場合は、コントローラ６に入力されている応急信号をリセット（Ｓ３０３）してエンド（Ｓ３０４）となる。また、判断Ｓ３０２で「ＮＯ」の場合、つまりコントローラ６の解除操作がされない場合は、そのままエンド（Ｓ３０４）となる。
【００２３】
つまり、コントローラ６は、センサ４が異常状態で応急信号が入力されている場合に、応急状態と判断して、無線部２９からの警報信号の発信が禁止され、また、センサ４が正常状態の場合は、コントローラ６による解除操作が許容されて、解除操作された場合に応急信号をリセットして警戒状態に復帰し、かつセンサ４が異常状態で応急スイッチ１２の操作による応急信号が入力されている場合は、コントローラ６による解除操作が禁止されるようになっている。なお、図４〜図６に示すフローチャートは一例であって、例えば図４及び図５のフローチャートにおいて、窓３を開放した応急状態の際に窓３を再び閉めることにより、応急動作が自動的にリセットされて警戒状態に設定されるフローチャートとする等、他の適宜のフローチャートを採用すこともできる。
【００２４】
このように、上記実施形態の侵入警報システム１にあっては、センサ４に応急スイッチ１２が設けられると共に、その応急信号が窓３が開放されたセンサ４の異常状態でコントローラ６に入力された際に、コントローラ６の無線部２９を介して警備会社等への警報信号の発信が禁止されるため、例えばコントローラ６から離れた位置のセンサ４の応急スイッチ１２の操作により、侵入警報システム１の警戒状態を一時的に解除することができる。その結果、例えばセンサ４が設置されている２階の部屋の窓３を開けて掃除する際等に、住人がコントローラ６の位置まで一々戻って解除操作をする必要がなくなり、操作性と使い勝手に優れた侵入警報システム１を得ることができる。
【００２５】
また、センサ４の本体ケース８内にタイマ９ｂを有する制御部９が設けられ、この制御部９により、応急スイッチ１２が操作された際に予め設定した所定の時間Ｔ応急信号の送信を禁止すると共に、時間Ｔが経過した際に応急信号の送信を可能にするため、時間Ｔを応急スイッチ１２が操作されてから窓３が開放されるまでの適宜の時間に設定することにより、応急信号をコントローラ６に正確に送信して、コントローラ６にセンサ４が応急状態であることを確実に認識させることができ、侵入警報システムの信頼性を高めることが可能となる。
【００２６】
さらに、センサ４が異常状態の場合にコントローラ６による解除操作が禁止され、センサ４が正常状態の場合にのみコントローラ６による解除操作が許容されて、過去に入力されている応急信号がリセットされるため、コントローラ６によりセンサ４の状態の把握を的確に行うことができると共に、コントローラ６による警戒状態への復帰も行うことができて、例えば警報の必要の無い時に警報信号を発信することが確実に防止される等、侵入警報システム１の操作性と信頼性を一層向上させることが可能となる。
【００２７】
また、センサ４の応急スイッチ１２の操作により侵入警報システム１に在宅時の警戒状態を得ることができるため、この警戒状態と外出時の警戒状態とを区別して使用することができて、侵入警報システム１の操作性等をより一層向上させることができる。さらに、センサ４の応急スイッチ１２や表示灯１３が本体ケース８の前面に露出状態で設けられているため、住人等による操作性を向上させることができると共に、表示灯１３の時間Ｔに対応した赤色点灯により応急スイッチ１２の操作状態や応急状態中であるか否かを住人等が確実かつ簡単に把握でき、これらにより、センサ４自体の使い勝手のより一層の向上を図ることも可能となる。
【００２８】
なお、上記実施形態においては、センサ４の検知部１１としてマグネット１６の接離によりオン・オフする非接触型のリードスイッチを使用したが、本発明はこれに限定されず、例えば作動子を有するマイクロスイッチ等を使用し、このスイッチの作動子を窓に設けた駆動板で押圧することによりオン・オフさせる接触型の各種スイッチを使用することもできる。また、上記実施形態においては、センサ４の本体ケース８内にリードスイッチ等の検知部１１を配置したが、検知部１１を本体ケース８外に配置することも可能であり、この場合、例えばマグネットを有するクレセント錠とこのクレセント錠に対向配置されたリードスイッチで検知部を構成し、リードスイッチの検知信号を制御部２０に取り込む構成としても良い。
【００２９】
さらに、上記実施形態における、センサ４の応急スイッチ１２の形態や表示灯１３の構成及び制御部９のブロック図、コントローラ６のブロック図等も一例であって、例えばセンサ４の複数個の表示灯１３を本体ケースの所定位置に別々に配置したり、各制御部９、２０の一部を共通化する等、本発明に係わる各発明の要旨を逸脱しない範囲において適宜に変更することができる。
【産業上の利用可能性】
【００３０】
本発明は、一般家庭等の住宅に限らず、事務所や工場等に設置される侵入警報システムにも利用できるし、センサとコントローラが無線により接続される侵入警報システムに限らず、有線によって接続可能な侵入警報システムにも利用できる。
【図面の簡単な説明】
【００３１】
【図１】本発明に係わる侵入警報システムの概略構成図
【図２】同センサのブロック図
【図３】同コントローラのブロック図
【図４】同センサの動作の一例を示すフローチャート
【図５】同コントローラの動作の一例を示すフローチャート
【図６】同コントローラの他の動作を示すフローチャート
【符号の説明】
【００３２】
１・・・侵入警報システム、２・・・住宅、３・・・窓、４・・・センサ、５・・・玄関、６・・・コントローラ、７・・・無線回線、８・・・本体ケース、９・・・制御部、９ａ・・・ＣＰＵ、９ｂ・・・タイマ、１０・・・電池、１１・・・検知部、１２・・・応急スイッチ、１３・・・表示灯、１６・・・マグネット、２０・・・制御部、２１・・・電源部、２２・・・スイッチ部、２３・・・入力部、２４・・・表示部、２５・・・音声部、２６・・・リレー出力部、２７・・・通報部、２８・・・通信部、２９・・・無線部。
【図１】
0005158684.tif 000002
【図２】
0005158684.tif 000003
【図３】
0005158684.tif 000004
【図４】
0005158684.tif 000005
【図５】
0005158684.tif 000006
【図６】
0005158684.tif 000007